(57)【特許請求の範囲】
【請求項１】
シート面の所定部に、蛍光物質が含有された紫外線硬化型蛍光インキからなる不完全硬化状態の転移性蛍光インキ皮膜を設けてなる蛍光感圧複写シート。
【請求項２】
シート面の所定部に、蛍光物質を含有させた紫外線硬化型蛍光インキ塗膜を塗布形成する工程と、該蛍光インキ塗膜を、これを完全に硬化させない程度の所定条件によって硬化させ、不完全硬化状態の転移性蛍光インキ皮膜に形成せしめる工程とを有してなる蛍光感圧複写シートの作成方法。
【発明の詳細な説明】
【０００１】
【産業上の利用分野】
本発明は、蛍光顔料が含有された紫外線硬化型蛍光インキをシート面に塗布してなる新規の蛍光感圧複写シートおよびその作成方法に関し、さらに詳しくは、筆圧、印字圧等の押圧により別のシート面に複写された情報が紫外線蛍光機能を有し、この機能をもって機密情報の漏洩を防止し、証書類、金券類の真贋判定、偽造防止に利用できる蛍光感圧複写シートおよびその作成方法に関する。
【０００２】
【従来の技術】
従来、複写機能と共に蛍光機能を有するといった蛍光感圧複写シートに関する技術としては、例えば、銀行、証券等の暗証番号届出用帳票に複写された暗証番号の機密漏洩を防止する手段として、実開昭５８−１９６１６０号、実公昭６０−１８９４６号、あるいは実公平６−２１７４１号において、紫外線照射で蛍光する蛍光物質を含有したカーボンインキ皮膜を上葉紙裏面の所定部に設け、その部分に対応する上葉紙の表面側から情報を記入すると、筆圧により該カーボンインキが下葉紙表面に転移して複写情報が得られ、一方、下葉紙表面の複写部分には、複写情報が容易に読み取れないように、カムフラージュを設けるといった技術が開示されている。
【０００３】
しかしながら、これら何れのものも、いわゆるワンタイムカーボンで代表されるようなホットメルトインキ、コールドセットインキと呼ばれるワックスタイプの転移性インキを採用しているもので、この種のインキは一般の印刷機では塗布できず、特殊なコーティング装置を必要とし、高速でのコーティングが不可能であるばかりでなく、乾燥速度が遅いため、生産性が非常に悪いものであった。また、このようなインキによるシート面に形成された転移性蛍光インキ皮膜は、高温に曝されると軟化するため、別のシートあるいは人や物の部分に擦れると容易に擦れ汚れを生じさせてしまうものであった。
【０００４】
【発明が解決しようとする課題】
そこで、本発明は、従来の複写機能と共に蛍光機能を有する蛍光感圧複写シートにおける、転写性と蛍光性を有するワックスタイプのインキは使用せず、他の通常の印刷と同様に、汎用の印刷機をもって、シート面の所定部に、容易に、かつ迅速に蛍光インキ塗膜を形成できると共に、該蛍光インキ塗膜の乾燥（硬化）についても、容易、かつ迅速に行なうことで該蛍光感圧複写シートの生産性を高め、さらに、シート面に施された転移性蛍光インキ皮膜が高温に曝されても軟化することなく、擦れ汚れを防止できるといった蛍光感圧複写シートおよびその作成方法の提供を課題とする。
【０００５】
【課題を解決するための手段】
上記課題を解決するため、本発明者らは、シート面に塗布形成される蛍光インキ塗膜の構成インキを、従来の紫外線硬化型インキにおいて、紫外線蛍光タイプの蛍光物質を含有させ、また、光重合開始剤、増感剤の含有率を、従来の一般印刷における場合よりも低めに設定して紫外線硬化型インキを調製し、および／または、紫外線照射時間や照射エネルギー等の調製をもってする所定条件により、該蛍光インキ塗膜を不十分に硬化させて、完全硬化状態の硬化率を１００％とした場合、硬化率６０〜７０％の不完全硬化状態のインキ皮膜を形成することによって、該インキ皮膜に蛍光性と共に転移性を付与せしめ得ることを見い出し、本発明を想到した。
【０００６】
すなわち、本発明の蛍光感圧複写シートは、シート面の所定部に、蛍光物質が含有された紫外線硬化型蛍光インキからなる不完全硬化状態の転移性蛍光インキ皮膜を設けてなることを特徴とする。
【０００７】
また、本発明の蛍光感圧複写シートの作成方法は、シート面の所定部に、蛍光物質を含有させた紫外線硬化型蛍光インキ塗膜を塗布形成する工程と、該蛍光インキ塗膜を、これを完全に硬化させない程度の所定条件によって硬化させ、不完全硬化状態の転移性蛍光インキ皮膜に形成せしめる工程とを有してなることを特徴とする。
【０００８】
したがって、本発明によれば、紫外線硬化型インキを使用するため、他の通常の印刷と同様に、オフセット等の汎用のオフセット印刷機をもって、シート面の所定部に、容易に、かつ迅速に蛍光インキ塗膜を形成できると共に、該蛍光インキ塗膜の乾燥（硬化）についても、ＵＶ乾燥機（紫外線照射機）をもって、容易に、かつ迅速に行なうことで蛍光感圧複写シートの生産性が高まり、さらに、紫外線硬化性のため、シート面に施された転移性蛍光インキ皮膜が高温に曝されても軟化することなく、擦れ汚れを防止できる。
【０００９】
【実施形態】
以下、本発明の蛍光感圧複写シートおよびその作成方法について、具体的な実施形態を挙げ、さらに詳述するが、先ず、本発明における紫外線硬化型蛍光インキの組成につき説明する。
【００１０】
本発明における紫外線硬化型蛍光インキは、従来の紫外線硬化型インキ組成物を母体とするものであり、ポリエステルアクリレート、エポキシアクリレート、ウレタンアクリレート等の光重合性プレポリマー（オリゴマー）、２−ヒドロキシエチル（メタ）アクリレート、２−ヒドロキシプロピル（メタ）アクリレート等の単官能（メタ）アクリレートと、トリメチロールプロパントリ（メタ）アクリレート、ペンタエリスリトールテトラ（メタ）アクリレート等の多官能（メタ）アクリレートといった光重合性モノマ等からなる光重合型ビヒクル、１−ヒドロキシシクロヘキシルフェニルケトン、２，２−ジメトキシ−２−フェニルアセトフェノン、オルソベンゾイル安息香酸メチルエステル等の光重合開始剤、トリエタノールアミン、トリイソプロパノールアミン、ジメチルアミノエチル（メタ）アクリレート、ジエチルアミノエチル（メタ）アクリレート等の増感剤、ｐ−ベンゾキノン、フェノチアジン、ｔ−ブチルカテコール等の熱重合禁止剤といった組成物からなるものである。
【００１１】
本発明の紫外線硬化型蛍光インキの特徴とするところは、紫外線照射により蛍光する蛍光物質を含有している点にあり、好ましくは公知の蛍光顔料であり、さらに好ましくは、波長２００〜３００ｎｍの紫外線（ブラックライト）の照射により蛍光するものがよい。また、全インキ組成中において、この蛍光顔料の含有率については、それが１０重量％未満になると、転移した蛍光インキの蛍光機能が不十分で読み取りが困難であるという不都合が生じ、一方、３０重量％を超えるインキ流動性が損なわれるため、蛍光インキ塗膜の形成する操作性が困難となる。したがって、その含有率は、１０〜３０重量％の範囲にある必要があり、好ましくは１５〜２５重量％、さらに好ましくは２０重量％前後である。なお、本発明においては、蛍光顔料の他に有色顔料を同時に含有させてもよく、蛍光機能を損なわない限り、転移性蛍光インキ皮膜の透明性は問題とならない。
【００１２】
また、光重合開始剤および増感剤の含有率については、転移性蛍光インキ皮膜の不完全硬化状態を効率的に具現し、該インキ皮膜のインキ転移性を良好に保つために、従来の一般印刷における場合よりも低めに設定（従来の１／３程度）するのがよい。すなわち、全インキ組成中において、光重合開始剤および増感剤の合計含有率は、これが５重量％未満であると通常のＵＶ乾燥機による紫外線照射では硬化が全く不十分であり、インキ皮膜自体の定着性が著しく損なわれ、擦れ汚れが生じる。一方、３０重量％を超えると容易に完全硬化状態が完成され、不完全硬化状態を具現することが困難であるため、その含有率は５〜３０重量％の範囲にある必要があり、好ましくは１０〜２０重量％、さらに好ましくは１５重量％前後である。
【００１３】
このような構成からなる本発明の紫外線硬化型蛍光インキの具体的な処方について以下に例示する。
0003615293.tif 000002
【００１４】
そして、本発明の蛍光感圧複写シートの作成方法は、紙、合成紙、合成フィルム等の任意の材質からなるシート面の所定部に、紫外線硬化型蛍光インキ塗膜を塗布形成する工程と、該蛍光インキ塗膜を、これを完全に硬化させない程度の紫外線照射によって硬化させ、不完全硬化状態の転移性蛍光インキ皮膜に形成せしめる工程とを有してなる。例えば、例示の紫外線硬化型蛍光インキを用いて、連量３５ｋｇの上質紙を使用して２００ｆｅｅｔ／分の処理速度でフォーム輪転機でのオフセット印刷（塗工量は蛍光インキ塗膜の厚みが２〜３μｍ程度の高濃度）を行い、同製造ラインに設置された６ｋＷのＵＶ乾燥機を使用して不完全硬化状態の転移性蛍光インキ皮膜を形成するものである。
【００１５】
なお、不完全硬化状態は、紫外線硬化型蛍光インキの組成における光重合開始剤と増感剤の合計含有率により影響を受けることは前述の通りであるが、この不完全硬化状態は、紫外線照射時間や照射エネルギー等の調製によっても影響を受ける。例えば、例示の紫外線硬化蛍光インキにおける光重合開始剤と増感剤の合計含有率を１０重量％から３０重量％にした場合、同様な塗工量で、処理速度を２５０ｆｅｅｔ／分、５ｋＷのＵＶ乾燥機を使用して上記と同様な不完全硬化状態の転移性蛍光インキ皮膜が形成できるものである。
【００１６】
次に、本発明の蛍光感圧複写シートについて、好適な実施形態を添付図面に基づき詳細に説明する。なお、ここにおいて、図１乃至図４は第１の実施形態を示し、図１は本発明の蛍光感圧複写シートを上紙シートとしてなる複写シート組の概略的分解斜視図、図２は図１の複写シート組のＹ−Ｙ線断面図、図３は複写後のＹ−Ｙ線断面図、図４は複写シート組の複写状態の概略的説明図、図５は本発明の第２の実施形態を利用した複写シート組の複写後のＹ−Ｙ線断面図である。
【００１７】
先ず、図１乃至図４の第１の実施形態について説明する。図１、図２に示すものは、取引きカードの暗証番号を届け出るための複写シート組１で、本発明の蛍光感圧複写シート２と下紙シート４の２シートからなり、一端側の側辺に沿って分離可能に接着剤１１で綴じ合わされている。この実施形態においては、蛍光感圧複写シート２は、ノーカーボン上用紙裏面の発色剤３塗布面に転移性蛍光インキ皮膜８を形成してなり、一方、下紙シート４は、ノーカーボン下用紙を採用したものであって、その表面には顕色剤５が塗布された構成となっている。したがって、蛍光感圧複写シート２の表面から、届け出人の住所、氏名、認印等の可視情報欄６ａに記入叉は押印すると、対応する下紙シート４表面の可視情報欄６ｂに複写される。
【００１８】
また、秘匿情報欄７ａに記入される暗証番号については、届け出人の控え用シート（蛍光感圧複写シート２）においては可視化され、作成業務用シート（下紙シート４）においては、不特定多数の人に見られる危険性を有するため、これを不可視化する必要があり、蛍光感圧複写シート２表面の秘匿情報欄７ａに対応する裏面位置に転移性蛍光インキ皮膜８が形成されている。（図４参照）さらに、下紙シート４表面の秘匿情報欄７ｂには感圧発色を防止する減感インキ９が塗布され、発色剤３による発色が妨げられるため、蛍光感圧複写シート２の秘匿情報７ａに暗証番号を記入すると、下紙シート４の秘匿情報欄７ｂに暗証番号が不可視化されて複写される。
【００１９】
図３は蛍光感圧複写シート２表面から暗証番号（図示せず）やその他の必要事項を記入した後に、記入事項が下紙シート４に複写された状態を示し、図４の（イ）に示すように、下紙シート４表面には、住所、氏名等の可視化された複写された必要事項と不可視化状態の複写暗証番号Ｓの２通りで情報が形成されている。また、図４の（ロ）においては、下紙シート４の秘匿情報欄７ｂに形成された不可視情報である複写暗証番号ＳをブラックライトＡを照射して、転移された転移性蛍光インキ皮膜８を蛍光させ、複写暗証番号Ｓを可視化することができるものである。
【００２０】
次に、第２の実施形態は、上述の第１の実施形態の変化形であり、同一構成要素には同一符号を付して説明する。図５に示すように、複写シート組２１は、蛍光感圧複写シート２表面への必要事項の記入に際し、下紙シート４の秘匿情報欄７ｂに転移される転移性蛍光インキ皮膜８の転移量を増加することで、より鮮明に蛍光させるようにしたもので、蛍光感圧複写シート２は表面の秘匿情報欄７ａが対応する位置の裏面側の発色剤３塗布面上に、予め剥離性インキ１０を塗布した後、その上に転移性蛍光インキ皮膜８を形成してなることを特徴とする。
【００２１】
なお、第１、第２の実施形態において、蛍光感圧複写シート２と下紙４との複写シート組２１をノーカーボンシート構成としたが、可視情報の複写記入が不必要な場合には、蛍光感圧複写シート２を普通紙、合成紙等に代えて、秘匿情報のみを不可視化複写する構成としてもよい。
【００２２】
【発明の効果】
以上述べたように、本発明によれば、他の通常の印刷と同様に、一般の印刷機をもって、シート面の所定部に、容易、かつ迅速に蛍光インキ塗膜を形成できると共に、該インキ蛍光塗膜の乾燥（硬化）についても、ＵＶ乾燥機をもって、容易、かつ迅速に行なうことで蛍光感圧複写シートの生産性が高まり、さらに、シート面に施された転移性蛍光インキ皮膜が高温に曝されても軟化することなく、擦れ汚れを防止できる。そして、例えば、本発明の蛍光感圧複写シートを、証書類、金券類に応用すれば、シート面の所定部に形成された転移性蛍光インキ皮膜は、可視光線下では肉眼で視認し難いが、紫外線（ブラックライト）照射により蛍光して視認でき、また、該蛍光感圧複写シートをもって情報を複写する場合、筆圧や印字圧により、転移性蛍光インキ皮膜が被複写シート面に転移して情報が複写され、かつ、その複写情報にも蛍光機能を有しせしめるため、証書類、金券類の真贋判定、偽造防止に好適に利用できるといった効果を奏するものである。
【図面の簡単な説明】
【図１】本発明の蛍光感圧複写シートを上紙シートとしてなる複写シート組の概略的分解斜視図。
【図２】図１の複写シート組のＹ−Ｙ線断面図。
【図３】複写後のＹ−Ｙ線断面図。
【図４】複写シート組の複写状態の概略的説明図。
【図５】本発明の第２の実施形態を利用した複写シート組の複写後のＹ−Ｙ線断面図。
【符号の説明】
１、２１  複写シート組
２  蛍光感圧複写シート
３  発色剤
４  下紙シート
５  顕色剤
６ａ、６ｂ  可視情報欄
７ａ、７ｂ  秘匿情報欄
８  転移性蛍光インキ皮膜
９  減感インキ
Ｓ  複写暗証番号
１０  剥離性インキ
１１  接着剤
Ａ  ブラックライト
【図１】
0003615293.tif 000003
【図２】
0003615293.tif 000004
【図３】
0003615293.tif 000005
【図４】
0003615293.tif 000006
【図５】
0003615293.tif 000007